(57)【要約】  本発明は、カラー画像データ（４０３、５０３）を表示する表示装置（４００、５００）を提供し、前記表示装置（４００、５００）は、正方形形状を有する複数の第１の専用画素（１０１ａ、１０１ｂ、１０１ｃ、１０１ｄ、１０１ｘ）と、長方形形状を有する複数の第２の専用画素（１０２）と、を含み、前記第１の専用画素（１０１ａ、１０１ｂ、１０１ｃ、１０１ｄ、１０１ｘ）と、前記第２の専用画素（１０２）とは、インターレースに配置されて表示面を形成し、第１の専用画素（１０１ａ、１０１ｂ、１０１ｃ、１０１ｄ、１０１ｘ）の各々と、第２の専用画素（１０２）の各々とは、異なる色のちょうど３つの光源を含む。さらに、本発明は、それぞれの組立て方法を提供する。【選択図】図１
2020514792.tif 000002
【特許請求の範囲】
【請求項１】
カラー画像データ（４０３、５０３）を表示するための表示装置（４００、５００）であって、
正方形形状を有する複数の第１の専用画素（１０１ａ、１０１ｂ、１０１ｃ、１０１ｄ、１０１ｘ）と、
長方形形状を有する複数の第２の専用画素（１０２）と、
を有し、
前記第１の専用画素（１０１ａ、１０１ｂ、１０１ｃ、１０１ｄ、１０１ｘ）と、前記第２の専用画素（１０２）とは、インターレースに配置されて表示面を形成し、
前記第１の専用画素（１０１ａ、１０１ｂ、１０１ｃ、１０１ｄ、１０１ｘ）の各々と、前記第２の専用画素（１０２）の各々とは、異なる色のちょうど３つの光源を含む、表示装置（４００、５００）。
【請求項２】
前記第１の専用画素（１０１ａ、１０１ｂ、１０１ｃ、１０１ｄ、１０１ｘ）の各々と、前記第２の専用画素（１０２）の各々とは、１つの赤色光源（１０１ａＲ、１０１ｂＲ、１０１ｃＲ、１０１ｄｒ、１０２Ｒ）と、１つの緑色光源（１０１ａＧ、１０１ｂＧ、１０１ｃｇ、１０１ｄｇ、１０２Ｇ）と、１つの青色光源（１０１ａＢ、１０１ｂＢ、１０１ｃＢ、１０１ｄＢ、１０２Ｂ）と、を含む、請求項１に記載の表示装置（４００、５００）。
【請求項３】
前記第１の専用画素（１０１ａ、１０１ｂ、１０１ｃ、１０１ｄ、１０１ｘ）と、前記第２の専用画素（１０２）とは、３つの光源を有する集積表面実装型発光ダイオード、または３つの個別発光ダイオードと含み、前記個別発光ダイオードは、表面実装型デバイス、またはスルーホールデバイスを含む、前記請求項のいずれか一つに記載の表示装置（４００、５００）。
【請求項４】
互い垂直に隣接して配置された２つの前記第１の専用画素（１０１ａ、１０１ｂ、１０１ｃ、１０１ｄ、１０１ｘ）は、垂直に配置された１つの第２の専用画素（１０２）の高さを有し、
前記インターレース配置において、互い垂直に隣接して配置された２つの前記第１の専用画素（１０１ａ、１０１ｂ、１０１ｃ、１０１ｄ、１０１ｘ）は、垂直に配置された１つの第２の専用画素（１０２）の隣に水平に配置され、
特に、互いに隣接する前記第１の専用画素（１０１ａ、１０１ｂ、１０１ｃ、１０１ｄ、１０１ｘ）及び／または第２の専用画素（１０２）の間のピッチは、前記第１の専用画素（１０１ａ、１０１ｂ、１０１ｃ、１０１ｄ、１０１ｘ）及び／または前記第２の専用画素（１０２）のエッジサイズの５倍、４倍または３倍よりも小さい、前記請求項のいずれか一つに記載の表示装置（４００、５００）。
【請求項５】
ライン状に配置された前記第１の専用画素（１０１ａ、１０１ｂ、１０１ｃ、１０１ｄ、１０１ｘ）と第２の専用画素（１０２）と、を有する、前記請求項のいずれか一つに記載の表示装置（４００、５００）。
【請求項６】
全てのライン（３０４、３０５、４０４、４０５、５０４、５０５）は、互いに垂直に隣接して配置された２つの前記第１の専用画素（１０１ａ、１０１ｂ、１０１ｃ、１０１ｄ、１０１ｘ）から始まる、または、全てのライン（３０４、３０５、４０４、４０５、５０４、５０５）は、１つの前記第２の専用画素（１０２）から始まる、請求項５に記載の表示装置（４００、５００）。
【請求項７】
ライン（３０４、３０５、４０４、４０５、５０４、５０５）は、互いに垂直に隣接して配置された２つの前記第１の専用画素（１０１ａ、１０１ｂ、１０１ｃ、１０１ｄ、１０１ｘ）、または、１つの前記第２の専用画素（１０２）から交互に始まる、請求項５に記載の表示装置（４００、５００）。
【請求項８】
前記第１の専用画素（１０１ａ、１０１ｂ、１０１ｃ、１０１ｄ、１０１ｘ）は、５０マイクロメートル〜５ミリメートル、具体的には１００マイクロメートル〜３ミリメートル、より具体的には６００マイクロメートルのエッジ長（７０１）を有し、
前記第２の専用画素（１０２）は、１０マイクロメートル〜１０ミリメートル、具体的には２０マイクロメートル〜６ミリメートル、より具体的には１ミリメートルの垂直エッジ長（７０３）を有し、
前記第２の専用画素（１０２）は、１０マイクロメートル〜１０ミリメートル、具体的には３０マイクロメートル〜３ミリメートル、より具体的には３００マイクロメートルの水平エッジ長（７０３）を有する、前記請求項のいずれか一つに記載の表示装置（４００、５００）。
【請求項９】
前記第１の専用画素（１０１ａ、１０１ｂ、１０１ｃ、１０１ｄ、１０１ｘ）では、３つの光源が三角形形状に配置される、及び／または、第２の専用画素（１０２）では、３つの光源がライン配列に配置される、前記請求項のいずれか一つに記載の表示装置（４００、５００）。
【請求項１０】
カラー画像データ（４０３、５０３）を表示するための表示装置（４００、５００）の組立て方法であって、
正方形形状を有する複数の第１の専用画素（１０１ａ、１０１ｂ、１０１ｃ、１０１ｄ、１０１ｘ）を提供すること（Ｓ１）、及び、
長方形形状を有する複数の第２の専用画素（１０２）を提供すること（Ｓ２）、
表示面を形成するために、前記第１の専用画素（１０１ａ、１０１ｂ、１０１ｃ、１０１ｄ、１０１ｘ）と前記第２の専用画素（１０２）とをインターレースに配置すること（Ｓ３）、を含み、
前記第１の専用画素（１０１ａ、１０１ｂ、１０１ｃ、１０１ｄ、１０１ｘ）の各々と、前記第２の専用画素（１０２）の各々とは、異なる色のちょうど３つの光源を含む、組立て方法。
【請求項１１】
第１の専用画素（１０１ａ、１０１ｂ、１０１ｃ、１０１ｄ、１０１ｘ）の各々及び各第２の専用画素（１０２）の各々に１つの赤色光源（１０１ａＲ、１０１ｂＲ、１０１ｃＲ、１０１ｄｒ、１０２Ｒ）と、１つの緑色光源（１０１ａＧ、１０１ｂＧ、１０１ｃｇ、１０１ｄｇ、１０２Ｇ）と、１つの青い光源（１０１ａＢ、１０１ｂＢ、１０１ｃＢ、１０１ｄＢ、１０２Ｂ）とを供給すること、及び／または、
第１の専用画素（１０１ａ、１０１ｂ、１０１ｃ、１０１ｄ、１０１ｘ）及び／または第２の専用画素（１０２）を３つの光源を有する集積表面実装型発光ダイオードとして、または、３つの個別の発光ダイオードとして提供すること、を含み、前記個別の発光ダイオードは、表面実装型デバイスまたはスルーホールデバイスを含む、請求項１に記載の組立て方法。
【請求項１２】
互い垂直に隣接して配置された２つの前記第１の専用画素（１０１ａ、１０１ｂ、１０１ｃ、１０１ｄ、１０１ｘ）は、垂直に配置された１つの第２の専用画素（１０２）の高さを有し、
配置することは、互い垂直に隣接して配置された２つの前記第１の専用画素（１０１ａ、１０１ｂ、１０１ｃ、１０１ｄ、１０１ｘ）を垂直に配置された１つの第２の専用画素（１０２）の隣に水平に配置することを含み、
具体的には、配置することは、互いに隣接する前記第１の専用画素（１０１ａ、１０１ｂ、１０１ｃ、１０１ｄ、１０１ｘ）及び／または前記第２の専用画素（１０２）の間に、前記第１の専用画素（１０１ａ、１０１ｂ、１０１ｃ、１０１ｄ、１０１ｘ）及び／または前記第２の専用画素（１０２）のエッジサイズの５倍、４倍または３倍よりも小さいピッチを設けることを含む、請求項１０及び１１の何れか一項に記載の組立て方法。
【請求項１３】
前記第１の専用画素（１０１ａ、１０１ｂ、１０１ｃ、１０１ｄ、１０１ｘ）と前記第２の専用画素（１０２）とをライン状に配置することを含み、具体的には、全てのライン（３０４、３０５、４０４、４０５、５０４、５０５）は、互いに垂直に隣接して配置された２つの前記第１の専用のピクセル（１０１ａ、１０１ｂ、１０１ｃ、１０１ｄ、１０１ｘ）から始まる、または、全てのライン（３０４、３０５、４０４、４０５、５０４、５０５）は、１つの前記第２の専用画素（１０２）から始まる、或は、ライン（３０４、３０５、４０４、４０５、５０４、５０５）は、互いに垂直に隣接して配置された２つの前記第１の専用のピクセル（１０１ａ、１０１ｂ、１０１ｃ、１０１ｄ、１０１ｘ）、及び１つの前記第２の専用画素（１０２）から交互に始まる、請求項１０から１２の何れか一項に記載の組立て方法。
【請求項１４】
提供することは、５０マイクロメートル〜５ミリメートル、具体的には１００マイクロメートル〜３ミリメートル、より具多的には６００マイクロメートルのエッジ長（７０１）を有する前記第１の専用画素（１０１ａ、１０１ｂ、１０１ｃ、１０１ｄ、１０１ｘ）を提供することを含み、
提供することは、１０マイクロメートル〜１０ミリメートル、具体的には２０マイクロメートル〜６ミリメートル、より具体的には１ミリメートルの垂直エッジ長（７０３）を有する前記第２の専用画素（１０２）を提供することを含み、
提供することは、１０マイクロメートル〜１０ミリメートル、具体的には３０マイクロメートル〜３ミリメートル、より具体的には３００マイクロメートルの水平エッジ長（７０３）を有する前記第２の専用画素（１０２）を提供することを含む、前記請求項の何れか一項に記載の組立て方法。
【請求項１５】
提供することは、三角形形状に配置された前記第１の専用画素（１０１ａ、１０１ｂ、１０１ｃ、１０１ｄ、１０１ｘ）の３つの光源を提供すること、及び／または、
ライン配列に配置された第２の専用画素（１０２）における３つの光源を提供すること、を含む、前記請求項の何れか一項に記載の組立て方法。
【発明の詳細な説明】
【技術分野】
【０００１】
本発明は、表示装置及び表示装置の製造方法に関するものである。
【背景技術】
【０００２】
マイクロＬＥＤ（μＬＥＤディスプレイ）といった単一光源を使用して、画像データを表示するあらゆるシステムに適用できるが、本発明は、画像データを表示するためのＲＧＢ  ＬＥＤを使用するＬＥＤと組み合わせて、より具体的には、無機ＲＧＢ  ＳＭＤ  ＬＥＤディスプレイと組み合わせて説明される。
【０００３】
ＬＥＤディスプレイは、画像を表示するための単一の画素又は複数の画素を形成するために、単色のＤＩＰ  ＬＥＤまたはＲＧＢ  ＬＥＤを使用し得る。この構成では、ディスプレイの解像度は単色ＬＥＤのサイズによって制限される。
【０００４】
個別のスルーホール又は異なる色のＳＭＤ  ＬＥＤを使用して画素を提供するディスプレイが存在する。通常、１つの画素は、１つの個別の赤色ＬＥＤ、１つの個別の緑色ＬＥＤ、及び１つの個別の青色ＬＥＤから構成される。そのような画素は、１Ｒ１Ｇ１Ｂ画素と呼ばれることがある。
【０００５】
しかしながら、ＬＥＤディスプレイの解像度を高めるために、１つの仮想画素が２つの隣接する画素から形成される仮想画素の技術が導入されている。しかしながら、この技術は、対称的な画素に対してのみ使用できる。したがって、仮想画素用の画素は、２つの個別の赤色ＬＥＤ、１つの個別の緑色ＬＥＤ、及び１つの個別の青色ＬＥＤで構成される。そのような画素は、２Ｒ１Ｇ１Ｂ画素と呼ばれることがある。しかしながら、そのような２Ｒ１Ｇ１Ｂ画素は、１Ｒ１Ｇ１Ｂ画素と比べて非標準的な画素であり、特別に製造される必要がある。仮想画素ＬＥＤスクリーンでは、表示される画像の４つの画素から得られる赤色、緑色、青色データは、スクリーン上の物理的な画素の赤色、緑色及び、青色ＬＥＤを点灯させるためにマッピングされる。そのため、理論的には、垂直方向に２倍、水平方向に２倍となり、実際の画素技術のＬＥＤディスプレイの解像度の４倍になる。
【０００６】
したがって、標準的な構成要素を備える高解像度ディスプレイを提供する必要がある。
【０００７】
国際公開第２０１４／１９７２５２Ａ２号公報は、複数の多機能画素を含み得るディスプレイ配列を開示している。各多機能画素は、赤色表示領域、緑色表示領域、及び青色表示領域を含むことができる。
【発明の概要】
【０００８】
本発明は、請求項１の特徴を備える表示装置、及び請求項の特徴を備える対応する方法を提供する。
【０００９】
従って、カラー画像データを表示するための表示装置は、上面図において、すなわち、画素の主な光放射方向または画素の単一光源の方向から見て、正方形形状を有する複数の第１の専用画素と、同様に、上面図において、すなわち、画素の主な光放射方向または画素の単一光源の方向から見て、長方形形状を有する複数の第２の専用画素を備え、第１の専用画素及び第２の専用画素は、インターレースに配置されてディスプレイ表面を形成し、第１の専用画素の各々及び第２の専用画素の各々は異なる色のちょうど３つの光源を含む。
【００１０】
また、カラー画像データを表示する表示装置の組立方法は、正方形形状を有する複数の第１の専用画素を提供し、長方形形状を有する複数の第２の専用画素を提供し、第１の専用画素及び第２の専用画素をインターレースに配置してディスプレイ表面を形成することを含み、第１の専用画素の各々及び第２の専用画素の各々は、異なる色のちょうど３つの光源を含む。
【００１１】
本発明の表示装置は、わずか３つの異なる色の正方形形状及び長方形形状の画素を組み合わせている。したがって、全ての単一画素は、３つの光源しか含まない。そのような画素は、例えば、１ピクセルに３つの信号線と１つの共通グランドのみが必要であるため、製造及び接続が容易である。あるいは、１つの共通入力と３つのスイッチグランド接続（ｓｗｉｔｃｈｅｄ  ｇｒｏｕｎｄ  ｃｏｎｎｅｃｔｉｏｎｓ）が提供されることができる。
【００１２】
一般的なディスプレイコントローラは、仮想画素を使用して、ディスプレイの解像度を上げる。しかしながら、これらの仮想画素コントローラは２Ｒ１Ｇ１Ｂ光源と呼ばれる２つの赤色光源を有する画素を必要とする。
【００１３】
しかしながら、本発明の単一画素のインターレース配置（ｉｎｔｅｒｌａｃｅｄ  ａｒｒａｎｇｅｍｅｎｔ）は、少なくとも１つの第１の専用画素の異なる色の少なくとも２つの光源と、少なくとも１つの第２の専用画素の他の色の１つの光源とを用いて仮想画素を形成することが可能になる。したがって、本発明は、ディスプレイの解像度を上げるために２つの赤色光源もあらゆる複雑な補間アルゴリズムも必要とせずに、補間アルゴリズムよりも少ない計算能力を必要とする仮想画素アルゴリズムで使用することができる。
【００１４】
全ての長方形または全ての正方形のＲＧＢ  ＬＥＤパッケージを備える既知のＬＥＤディスプレイは、ファインピッチ用途では効率的ではない。例えば、１．２ｍｍ×１．２ｍｍのＬＥＤサイズと２ｍｍ未満のピッチサイズでは、仮想画素を効率的に使用することができない。同じことが、０．６ｍｍ×０．６ｍｍのサイズと１ｍｍ未満のピッチサイズのＬＥＤにも当てはまる。通常は、ＬＥＤサイズが１ｍｍ未満であり、ピッチサイズがＲＧＢ  ＬＥＤサイズの３倍未満である場合、本特許出願は特に有用である。しかしながら、本特許出願は、他のいかなるサイズのＬＥＤでも利用することができる。
【００１５】
従って、本発明はさらに、各画素に第４の光源を追加する必要なく、画素当たりの３色の光源で表示装置の解像度を高めることを可能にする。
【００１６】
本発明のさらなる実施形態は、図面を参照して、さらなる従属請求項、及び以下の説明に依存する。
【００１７】
別の実施形態において、第１の専用画素の各々と第２の専用画素の各々は、１つの赤色光源と、１つの緑色光源と、１つの青色光源とを含む。赤色、緑色、及び青色、このコンテキストにおけるいわゆるＲＧＢを光源の色として使用することは、ディスプレイコントローラ側の修正を必要とせずに、あらゆるタイプのディスプレイコントローラと組み合わせることができる標準色を使用することを可能にする。そのようなディスプレイコントローラは、例えば、表示装置に含まれることができ、受信した画像データに応じて一つの専用画素を制御するためのアルゴリズムを含むことができる。さらに、そのようなディスプレイコントローラは、表示装置において仮想画素を制御するように構成されることもできる。表示装置において仮想画素を制御するために、コントローラは、隣接する専用画素の単色光源を使用することができ、あらゆる色の一つの光源、またはそれ以上、例えば１つまたは２つの赤色光源と、１つの緑色光源と、１つの青色光源を含む仮想画素を形成する。
【００１８】
別の実施形態では、第１の専用画素と第２の専用画素とは、３つの光源を有する集積表面実装型発光ダイオード、例えば、１つのＳＭＤハウジング内に単一の赤色、緑色、及び青色のダイオードを有するＳＭＤ  ＬＥＤ、又は、例えば、赤色、緑色及び青色といった各々異なる色の３つの個別の発光ダイオードを含むことができ、個別の発光ダイオードは、ＳＭＤ  ＬＥＤのような表面実装型デバイス、又はスルーホールデバイスを含む。本発明は、あらゆるタイプの３色ＬＥＤ配置、特にＲＧＢ配置で使われることができる。ＳＭＤ  ＲＧＢ  ＬＥＤは、非常にコンパクトな画素を提供し、そのため、非常に微細なピッチとタイトな組み立てを可能にする。この文脈におけるピッチという用語は、２つの単一画素間の距離を指す。
【００１９】
別の実施形態では、互い垂直に隣接して配置される、または重なり合う２つの第１の専用画素は、１つの垂直に配置された第２の専用画素の高さを有することができる。さらに、インターレース配置（ｉｎｔｅｒｌａｃｅｄ  ａｒｒａｎｇｅｍｅｎｔ）では、互い垂直に隣接して配置される２つの第１の専用画素は、垂直に配置された１つの第２の専用画素の隣に水平に配置されることができる。別の実施形態では、互いに隣接して配置された第１の専用画素及び／または第２の専用画素の間のピッチは、それぞれの第１の専用画素及び／または第２の専用画素のエッジサイズの５倍、または４倍、または３倍より小さくてもよい。互いに積み重ねられた１つの第１の専用画素は、単一の第２の専用画素と同じ高さであってもよい。これは、２つの垂直に積み重ねられた第１の専用画素と互いに隣接する１つの第２の専用画素とが、３つの画素の長方形の配置を形成できることを意味する。そして、これらは、柔軟に配置されることができ、表示装置の全表面を構成する。
【００２０】
別の実施形態では、表示装置は、第１の専用画素と第２の専用画素とのライン状配置を含むことができる。ライン状配置では、画素は、例えば、上述した３つの画素の長方形配置で配置されることができる。ラインは、水平ラインでもよく垂直ラインでもよい。
【００２１】
別の実施形態では、全てのラインは、互いに垂直に隣接して配置される２つの第１の専用画素、または１つの第２の専用画素から始まることができる。この配置は、第１及び第２の専用画素の同一のライン配列を提供する。従って、表示装置の容易な製造が可能である。
【００２２】
別の実施形態では、ラインは、互いに垂直に隣接して配置される２つの第１の専用画素、または１つの第２の専用画素から交互に始まることができる。この配置は、あるラインから次のラインへとわずかにシフトした画素を提供し、そのため、平滑化された画像を提供する。
【００２３】
別の実施形態では、第１の専用画素は、５０マイクロメートル〜５ミリメートル、具体的には１００マイクロメートル〜３ミリメートル、さらに具体的には６００マイクロメートルのエッジ長を有することができる。追加的に、または、代替的に、第２の専用画素は、１０マイクロメートル〜１０ミリメートル、具体的には２０マイクロメートル〜６ミリメートル、さらに具体的には１ミリメートルの垂直エッジ長を有することができる。さらに代替的に、または、追加的に、第２の専用画素は、１０マイクロメートル〜１０ミリメートル、具体的には３０マイクロメートル〜３ミリメートル、さらに具体的には３００マイクロメートルの水平エッジ長を有することができる。本発明は、特に非常に微細なピッチで、そして、非常にタイトな組み立てで使用されることができる。対照的に、先行技術のシステムでは、ピッチサイズがＬＥＤサイズよりはるかに大きい場合、仮想画素を有するＳＭＤ  ＲＧＢ  ＬＥＤのみ使用することができ、時には複雑な補間を使用することしかできない。
【００２４】
別の実施形態では、第１の専用画素では、３つの光源を、三角形形状に配置されることができ、例えば、１つの光源が三角形の角のそれぞれの上に配置される。追加的に、または、代替的に、第２の専用画素では、３つの光源は、ライン配列、例えば、水平ラインまたは垂直ラインに配置されることができる。
【００２５】
三角形またはラインの向きは用途ごとに異なり得ることが理解される。例えば、三角形の先端を中央上部に配置したり、三角形をこの位置から任意の角度で回転させることができる。同じことは、ライン配列にあてはまる。３つの光源は、例えば、垂直ライン、水平ライン、または任意の回転角度の回転ライン上に配置されることができる。
【図面の簡単な説明】
【００２６】
本発明及びその利点をより完全に理解するために、添付の図面と共に以下の説明を参照する。添付の図面の概略図に明記されている例示的な実施形態を用いて、本発明を以下により詳細に説明する。
【図１】本発明の一実施形態による第１及び第２の専用画素の概略図を示す。
【図２】本発明の一実施形態による第１及び第２の専用画素の別の概略図を示す。
【図３】本発明の一実施形態による第１及び第２の専用画素の別の概略図を示す。
【図４】本発明の一実施形態による第１及び第２の専用画素の別の概略図を示す。
【図５】本発明による表示装置の一実施形態の概略図を示す。
【図６】本発明による表示装置の別の実施形態の概略図を示す。
【図７】本発明の一実施形態による第１及び第２の専用画素の別の概略図を示す。
【図８】本発明の一実施形態による第１及び第２の専用画素の別の概略図を示す。
【図９】本発明による組立て方法の一実施形態のフロー図を示す。                        図中、他に記載がない限り、類似の参照符号は類似の要素を示す。
【発明を実施するための形態】
【００２７】
［図面の詳細な説明］
図１は、第１の専用画素１０１ａ、１０１ｂ、１０１ｃ、１０１ｄ及び第２の専用画素１０２の概略図を示している。
【００２８】
第１の専用画素１０１ａ、１０１ｂ、１０１ｃ、１０１ｄは、等しい長さの辺を有する正方形形状を有する。第２の専用画素１０２は、長方形形状を有し、長方形の垂直方向の辺は、第１の専用画素１０１ａ、１０１ｂ、１０１ｃ、１０１ｄの辺の長さの２倍にマージンを加えた長さである。マージンは、２つの第１の専用画素１０１ａ、１０１ｂ、１０１ｃ、１０１ｄの間の距離ａであってもよい。
【００２９】
図１は、４つの第１の専用画素１０１ａ、１０１ｂ、１０１ｃ、１０１ｄと１つの第２の専用画素１０２が示されている。４つの第１の専用画素１０１ａ、１０１ｂ、１０１ｃ、１０１ｄは２列に配置され、各列には２つの第１専用画素１０１ａ、１０１ｂ、１０１ｃ、１０１ｄが配置されている。２列の間には第２の専用画素１０２が垂直に配置されている。
【００３０】
図１の構成では、全ての第１の専用画素１０１ａ、１０１ｂ、１０１ｃ、１０１ｄ及び第２の専用画素１０２は、異なる色の３つの光源、例えばＬＥＤを含む。第１の専用画素１０１ａ、１０１ｂ、１０１ｃ、１０１ｄは、それぞれ赤色光源１０１ａＲ、１０１ｂＲ、１０１ｃＲ、１０１ｄＲと、一つの緑色光源１０１ａＧ、１０１ｂＧ、１０１ｃＧ、１０１ｄＧと、一つの青色光源１０１ａＢ、１０１ｂＢ、１０１ｃＢ、１０１ｄＢとを備える。第１の専用画素１０１ａ、１０１ｂ、１０１ｃ、１０１ｄには、光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢが長方形形状に配置されている。すなわち、赤色光源１０１ａＲ、１０１ｂＲ、１０１ｃＲ、１０１ｄＲ、緑色光源１０１ａＧ、１０１ｂＧ、１０１ｃＧ、１０１ｄＧ、及び青色光源１０１ａＢ、１０１ｂＢ、１０１ｃＢ、１０１ｄＢは、頂点が下を向いた三角形のそれぞれの角に配置されている。
【００３１】
第２の専用画素１０２もまた、３つの光源、例えばＬＥＤを含み、１つの赤色光源１０２Ｒ、１つの緑色光源１０２Ｇ、及び１つの青色光源１０２Ｂは、下から上へ垂直ライン上に配置されている。
【００３２】
左列の２つの第１の専用画素１０１ａ、１０１ｂにおいて、緑色光源１０１ａＧ、１０１ｂＧは三角形の右上隅に配置され、赤色光源１０１ａＲ、１０１ｂＲは三角形の左上隅に配置され、青色光源１０１ａＢ、１０１ｂＢは三角形の下部の角に配置されている。
【００３３】
右列の２つの第１の専用画素１０１ｃ、１０１ｄにおいて、緑色光源１０１ｃＧ、１０１ｄＧは三角形の左上隅に配置され、赤色光源１０１ｃＲ、１０１ｄＲは三角形の右上隅に配置され、青色光源１０１ｃＢ、１０１ｄＢは、三角形の下部の角に配置されている。
【００３４】
第１の専用画素１０１ａ、１０１ｂ、１０１ｃ、１０１ｄにおける、単一の光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ及び第２の専用画素１０２の上述した配置は、単なる例示であり、他の配置もまた使用可能であることが理解される。
【００３５】
図１の第１の専用画素１０１ａ、１０１ｂ、１０１ｃ、１０１ｄ及び第２の専用画素１０２の配置は、存在している第１の専用画素１０１ａ、１０１ｂ、１０１ｃ、１０１ｄ及び第２の専用画素１０２に加えて、複数の仮想画素を提供することを可能にする。
【００３６】
図２は、そこで、図１で示した画素１０１ａ、１０１ｂ、１０１ｃ、１０１ｄ、１０２と同じ配置を示す。明確化のために、単一光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ、１０２Ｒ、１０２Ｇ、１０２Ｂの参照符号は省略されているが、図１の参照符号が適用される。図２において、表示画像の画素を形成するための光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ、１０２Ｒ、１０２Ｇ、１０２Ｂの可能な組み合わせはそれぞれ、それらのそれぞれの外周を描く線によって示される。実際の画素２０１、２０２、２０３、２０４、２０５はそれぞれ、破線で示されたそれぞれの専用画素１０１ａ、１０１ｂ、１０１ｃ、１０１ｄ、１０２の３つの光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ、１０２Ｒ、１０２Ｇ、１０２Ｂによって形成されている。
【００３７】
考えられる仮想ピクセル２０６、２０７、２０８、２０９は、実線で示される。第１の仮想画素２０６は、左上の第１の専用画素１０１ａの赤色光源１０１ａＲ及び青色光源１０１ａＢと、第２の専用画素１０２の緑色光源１０２Ｇとを含む。第２の仮想画素２０７は、左下の第１の専用画素１０１ｂの青色光源１０１ｂＢ及び緑色光源１０１ｂＧと、第２の専用画素１０２の赤色光源１０２Ｒとを含む。第３の仮想画素２０８は、右上の第１の専用画素１０１ｃの赤色光源１０１ｃＲ及び青色光源１０１ｃＢと、第２の専用画素１０２の緑色光源１０２Ｇとを含む。第４の仮想画素２０９は、右下の第１専用画素１０１ｄの青色光源１０１ｄＢ及び緑色光源１０１ｄＧと、第２の専用画素１０２の赤色光源１０２Ｇとを含む。
【００３８】
したがって、第１の専用画素１０１ａ、１０１ｂ、１０１ｃ、１０１ｄ及び第２の専用画素１０２の図示した配置は、５つの実際のまたは専用画素１０１ａ、１０１ｂ、１０１ｃ、１０１ｄから合計９つの画素を提供することが可能であり、したがってディスプレイの解像度がほぼ２倍になる。
【００３９】
代替の配置も可能である。仮想画素は、例えば、それぞれの第１の専用画素１０１ａ、１０１ｂ、１０１ｃ、１０１ｄの３つ全ての光源と、第２の専用画素１０２の赤色光源１０２Ｒのみを使用することができる。
【００４０】
第１の専用画素１０１ａ、１０１ｂ、１０１ｃ、１０１ｄは、例えば、５０マイクロメートル〜５ミリメートル、具体的には１００マイクロメートル〜３ミリメートル、さらに具体的には６００マイクロメートルのエッジ長を有することができる。第２の専用画素１０２は、１０マイクロメートル〜１０ミリメートル、具体的には２０マイクロメートル〜６ミリメートル、より具体的には１ミリメートルの垂直エッジ長を有することができる。さらに、第２の専用画素１０２は、１０マイクロメートル〜１０ミリメートル、具体的には３０マイクロメートル〜３ミリメートル、より具体的には３００マイクロメートルの水平エッジ長を有することができる。
【００４１】
図３は、第１の専用画素１０１ｘ及び第２の専用画素１０２の別の概略図を示す。専用画素１０１ｘは同一でもよいため、全ての第１の専用画素１０１ｘに同じ参照符号が使用される。２つの第２の専用画素１０２についても同様である。しかしながら、図１の光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ、１０２Ｒ、１０２Ｇ、１０２Ｂの異なる又は回転した配置の画素も使用することができる。
【００４２】
図３では、図１及び図２の配置の倍、すなわち２倍設けられ、２つの配置は一方が他方に対して垂直に設けられている。図３に示す構成は、例えば、図５に示すようなディスプレイ用の完全なパネルを形成するために使用されることができる。
【００４３】
図４は、第１の専用画素１０１ｘ及び第２の専用画素１０２の別の概略図を示す。専用画素１０１ｘは同一でもよいため、全ての第１の専用画素１０１ｘに同じ参照符号が使用される。２つの第２の専用画素１０２についても同様である。しかしながら、図１の光源１０１ａＲ、１０１ｂＲ、１０１ｃＲ、１０１ｄＲ、１０１ａＧ、１０１ｂＧ、１０１ｃＧ、１０１ｄＧ、１０１ａＢ、１０１ｂＢ、１０１ｃＢ、１０１ｄＢ、１０２Ｒ、１０２Ｇ、１０２Ｂの異なる又は回転した配置の画素も使用することができる。
【００４４】
図４の配置では、第１の専用画素１０１ｘ及び第２の専用画素１０２は、第１のライン３０４または行と第２のライン３０５または行との間に移動されている。第１のライン３０４は、図１及び図２に示す配置で始まり、端部にさらなる第２の専用画素１０２を含む。対照的に、第２のライン３０５は、第２の専用画素１０２で始まり、次いで該第２の専用画素１０２の隣に図１及び図２の配置を含む。これは、第１のライン３０４とは対照的に、第２のライン３０５が第２の専用画素１０２の幅だけシフトされることを意味する。図４に示す構成は、例えば、図６に示すようなディスプレイ用の完全なパネルを形成するために使用されることができる。
【００４５】
図５は、表示装置４００の概略図を示す。表示装置４００は、複数のライン４０４、４０５（さらに３つの点によって示される）を含む。コントローラ４０２は、ディスプレイ４００の専用及び仮想の単一画素を制御するために設けられ、対応するカラー画像データ４０３を供給する。
【００４６】
表示装置４００において、全てのライン４０４、４０５は、例えば図３に示されているものと同じ画素配置を含む。これは、第１の専用画素と第２の専用画素とが表示装置４００の各ライン４０４、４０５、例えば、垂直ラインで同じ位置に配置されていることを意味する。
【００４７】
図６は、表示装置５００の別の概略図を示す。表示装置４００とは対照的に、表示装置５００では、例えば図４に示されるように、ラインは、２つの第１の専用ピクセル１０１ｘまたは第２の専用ピクセル１０２のいずれかで交互に始まる。
【００４８】
表示装置４００及び表示装置５００において、図３及び図４の配置は、水平ではなく垂直に、すなわち約９０°回転させて使用することもできることは理解されたい。表示装置４００及び表示装置５００は、行の代わりに列を含む。
【００４９】
図７は、第１の専用画素１０１ｘ及び第２の専用画素１０２の別の概略図を示す。
【００５０】
図７では、２つの第１の専用画素１０１ｘが、それらの間にわずかな距離を置いて、互いに水平方向に隣接して設けられる。第２の専用画素１０２は、２つの第１の専用画素１０１ｘの下に水平に位置している。
【００５１】
図７の構成は、図１及び図２の配置に対する代替の配置であり、専用ピクセル１０１ｘ、１０２の回転が有益であり得る用途で使用することができる。
【００５２】
図８は、第１の専用画素１０１及び第２の専用画素１０２の別の概略図を示す。第１の専用画素は正方形形状であり、所定のエッジ長７０１を有する。第２の専用画素１０２は長方形形状であり、水平エッジ長７０２と垂直エッジ長７０３とを有する。
【００５３】
第１の専用画素１０１のエッジ長７０１は、第２の専用画素７０２の垂直エッジ長７０３の約半分の長さであり、第２の専用画素７０２の水平エッジ長７０２の長さの倍である。
【００５４】
通常、第１の専用画素１０１は、５０マイクロメートル〜５ミリメートル、具体的には１００マイクロメートル〜３ミリメートル、より具体的には６００マイクロメートルのエッジ長７０１を有してもよい。第２の専用画素１０２は、１０マイクロメートル〜１０ミリメートル、具体的には２０マイクロメートル〜６ミリメートル、より具体的には１ミリメートルの垂直エッジ長７０３、及び１０マイクロメートル〜１０ミリメートル、具体的には３０マイクロメートル〜３ミリメートル、より具体的には３００マイクロメートルの水平エッジ長７０３を有してもよい。
【００５５】
図９は、カラー画像データ４０３、５０３を表示するための表示装置４００、５００の組立て方法の実施形態のフロー図を示す。理解を容易にするために、図１〜６に関連して使用される参照符号が、図９の説明で使用される。
【００５６】
組立て方法は、正方形形状を有する複数の第１の専用画素１０１ａ、１０１ｂ、１０１ｃ、１０１ｄ、１０１ｘを提供することＳ１と、長方形形状を有する複数の第２の専用画素１０２を提供することＳ２とを含む。
【００５７】
さらに、第１の専用画素１０１ａ、１０１ｂ、１０１ｃ、１０１ｄ、１０１ｘ及び第２の専用画素１０２は、インターレースで配置されてＳ３、表示面を形成する。ここで、第１の専用画素１０１ａ、１０１ｂ、１０１ｃ、１０１ｄ、１０１ｘの各々及び第２の専用画素１０２の各々は、異なる色のちょうど３つの光源を有する。
【００５８】
組立て方法は、第１の専用画素１０１ａ、１０１ｂ、１０１ｃ、１０１ｄ、１０１ｘの各々及び第２の専用画素１０２の各々に１つの赤色光源１０１ａＲ、１０１ｂＲ、１０１ｃＲ、１０１ｄＲ、１０２Ｒ、１つの緑色光源１０１ａＧ、１０１ｂＧ、１０１ｃＧ、１０１ｄＧ、１０２Ｇ、及び１つの青色光源１０１ａＢ、１０１ｂＢ、１０１ｃＢ、１０１ｄＢ、１０２Ｂを設けることをさらに含むことができる。それに加えてまたはその代わりに、第１の専用画素１０１ａ、１０１ｂ、１０１ｃ、１０１ｄ、１０１ｘ及び／または第２の専用画素１０２は、３つの光源を有する集積表面実装型発光ダイオードＳＭＤ−ＬＥＤ、あるいは、３つの個別の発光ダイオードＬＥＤとして設けることができ、個別の発光ダイオードは、表面実装型デバイスＳＭＤ、またはスルーホールデバイスを含む。
【００５９】
さらに、２つの第１の専用画素１０１ａ、１０１ｂ、１０１ｃ、１０１ｄ、１０１ｘは、互いに隣接して垂直に配置された場合、１つの垂直に配置された第２の専用画素１０２の高さを有することができる。さらに、配置することは、垂直に配置された１つの第２の専用画素１０２の隣に、水平に互いに隣接して垂直に配置された２つの第１の専用画素１０１ａ、１０１ｂ、１０１ｃ、１０１ｄ、１０１ｘを配置することを含んでもよい。配置することは、互いに隣接する第１の専用画素１０１ａ、１０１ｂ、１０１ｃ、１０１ｄ、１０１ｘ及び／または第２の専用画素１０２の間に、第１の専用画素１０１ａ、１０１ｂ、１０１ｃ、１０１ｄ、１０１ｘ及び／または第２の専用画素１０２のそれぞれのエッジサイズの５倍、４倍または３倍より小さいピッチを提供することをさらに含んでもよい。
【００６０】
配置することは、第１の専用画素１０１ａ、１０１ｂ、１０１ｃ、１０１ｄ、１０１ｘ及び第２の専用画素１０２をライン状に配置することをさらに含んでもよく、全てのライン３０４、３０５、４０４、４０５、５０４、５０５は、互いに垂直に隣接して配置される２つの第１の専用画素１０１ａ、１０１ｂ、１０１ｃ、１０１ｄ、１０１ｘ、または第２の専用画素１０２のうちの１つから始まってもよい。さらに、ライン３０４、３０５、４０４、４０５、５０４、５０５は、互いに垂直に隣接して配置される２つの第１の専用ピクセル１０１ａ、１０１ｂ、１０１ｃ、１０１ｄ、１０１ｘと１つの第２の専用ピクセル１０２とで交互に始まってもよい。
【００６１】
さらに、提供することは、５０マイクロメートル〜５ミリメートル、具体的には１００マイクロメートル〜３ミリメートル、より具体的には６００マイクロメートルのエッジ長を有する第１の専用画素１０１ａ、１０１ｂ、１０１ｃ、１０１ｄ、１０１ｘを提供することを含んでもよく、１０マイクロメートル〜１０ミリメートル、具体的には２０マイクロメートル〜６ミリメートル、より具体的には１ミリメートルの垂直エッジ長を有する第２の専用ピクセル１０２、及び１０マイクロメートル〜１０ミリメートル、具体的には３０マイクロメートル〜３ミリメートル、より具体的には３００マイクロメートルの水平エッジ長を有する第２の専用ピクセル１０２を提供することを含んでもよい。
【００６２】
第１の専用画素１０１ａ、１０１ｂ、１０１ｃ、１０１ｄ、１０１ｘの３つの光源は、三角形形状に配置されてもよい。また、第２の専用画素１０２における３つの光源はライン状に配置されてもよい。
【００６３】
本明細書では特定の実施形態を例示し説明してきたが、様々な代替及び／または同等の実施形態が存在することを当業者は理解するであろう。１つまたは複数の例示的な実施形態は例にすぎず、決して範囲、適用性、または構成を限定することを意図していないことが理解されるべきである。むしろ、前述の概要及び詳細な説明は、少なくとも１つの例示的実施形態を実施するための便利な指針を当業者に提供するであろう。添付の特許請求の範囲に記載される範囲及びそれらの法的な均等物から逸脱することなく、例示的な実施形態に記載される要素の機能及び配置において様々な変更がなされ得ることが理解される。概して、本出願は、本明細書で説明された特定の実施形態のあらゆる適合または変形を網羅することを意図している。
【００６４】
本発明は、カラー画像データ（４０３、５０３）を表示するための表示装置（４００、５００）を提供し、表示装置（４００、５００）は、正方形形状を有する複数の第１の専用画素（１０１ａ、１０１ｂ、１０１ｃ、１０１ｄ、１０１ｘ）と、長方形形状を有する複数の第２専用画素（１０２）と、を有し、第１の専用画素（１０１ａ、１０１ｂ、１０１ｃ、１０１ｄ、１０１ｘ）と第２専用画素（１０２）とはインターレースに配置されてディスプレイ表面を形成し、第１の専用画素（１０１ａ、１０１ｂ、１０１ｃ、１０１ｄ、１０１ｘ）の各々と、第２の専用画素（１０２）の各々とは、異なる色のちょうど３つの光源を含む。更に、本発明は、それぞれの組立て方法を提供する。
【符号の説明】
【００６５】
［参照符号のリスト］
４００、５００  表示装置
１０１ａ、１０１ｂ、１０１ｃ、１０１ｄ、１０１ｘ  第１の専用画素
１０２  第２の専用画素
１０１ａＲ、１０１ｂＲ、１０１ｃＲ、１０１ｄＲ、１０２Ｒ  赤色光源
１０１ａＧ、１０１ｂＧ、１０１ｃＧ、１０１ｄＧ、１０２Ｇ  緑色光源
１０１ａＢ、１０１ｂＢ、１０１ｃＢ、１０１ｄＢ、１０２Ｂ  青色光源
２０１、２０２、２０３、２０４、２０５  実際の画素
２０６、２０７、２０８、２０９  仮想画素
３０４、３０５  ライン
４０２、５０２  コントローラ
４０３、５０３  カラー画像データ
４０４、４０５  ライン
５０４、５０５  ライン
７０１、７０２、７０３  エッジ長
Ｓ１−Ｓ３  方法ステップ
【図１】
2020514792.tif 000003
【図２】
2020514792.tif 000004
【図３】
2020514792.tif 000005
【図４】
2020514792.tif 000006
【図５】
2020514792.tif 000007
【図６】
2020514792.tif 000008
【図７】
2020514792.tif 000009
【図８】
2020514792.tif 000010
【図９】
2020514792.tif 000011
【国際調査報告】
2020514792.tif 000012
2020514792.tif 000013